(57)【要約】【課題】バックライト装置を大型化せず、高い色再現性が得られ、液晶表示装置の表示面における調光を変更しても放電管群から出る混合した光の色度が補正することができる放電管及びその放電管を用いたバックライト装置。【解決手段】第１蛍光体が塗布された第１放電管１と、波長変換された光を調光した時の相対強度が第１蛍光体で波長変換された光の相対強度に比べて大きい第２蛍光体が塗布された第２放電管２とを有することを特徴とするバックライト装置用の放電管。【選択図】図１
2007157597.tif 000002
【特許請求の範囲】
【請求項１】
第１蛍光体が塗布された第１放電管と、
波長変換された光を調光した時の相対強度が前記第１蛍光体で波長変換された光の相対強度に比べて大きい第２蛍光体が塗布された第２放電管と、
を有することを特徴とするバックライト装置用の放電管。
【請求項２】
前記第２放電管には波長変換された光を調光した時の相対強度が前記第１蛍光体で波長変換された光の相対強度に比べて大きく、波長変換された光を調光した時の相対強度が前記第２蛍光体で波長変換された光の相対強度に比べて小さい又はほぼ等しい、第３蛍光体が塗布され、
前記第１乃至第３蛍光体で波長変換される光は光の３原色を構成することを特徴とする請求項１記載の放電管。
【請求項３】
前記第２又は第３蛍光体は前記第１放電管にも塗布されていることを特徴とする請求項２記載の放電管。
【請求項４】
前記第１放電管から出る光の色度座標のy座標は該色度座標のx成分における黒体軌跡又はその延長線のy座標より大きく、
前記第１放電管から出る光の色度座標は前記第１乃至第３蛍光体のそれぞれで波長変換された単色光の色度座標で囲まれる領域内であることを特徴とする請求項２又は３記載の放電管。
【請求項５】
前記第２放電管から出る光の色度座標のy座標は該色度座標のx成分における黒体軌跡又はその延長線のy座標より小さく、
前記第２放電管から出る光の色度座標は前記第１乃至第３蛍光体それぞれで波長変換された単色光の色度座標で囲まれる領域内であることを特徴とする請求項２乃至４のいずれか１項記載の放電管。
【請求項６】
前記第１蛍光体は組成（ＢａＭｇ２Ａｌ１６Ｏ２７：Ｅｕ，Ｍｎ）の蛍光体であることを特徴とする請求項１乃至５のいずれか１項記載の放電管。
【請求項７】
前記第２蛍光体は青色の波長の光に変換する蛍光体であって、
前記第３蛍光体は赤色の波長の光に変換する蛍光体であることを特徴とする請求項２乃至６のいずれか１項記載の放電管。
【請求項８】
請求項１乃至７のいずれか１項記載の前記第１放電管及び前記第２放電管と、
前記第１放電管及び前記第２放電管のそれぞれを独立に制御する第１及び第２インバータ回路と、
を有することを特徴とするバックライト装置。
【請求項９】
前記第１放電管に接続された前記第１インバータ回路における、前記第１放電管から出る光の調光を変更するための第１制御パラメータを前記第２放電管に接続された前記第２インバータ回路における、前記第２放電管から出る光の調光を変更するための第２制御パラメータよりも大きく変化させることを特徴とする請求項８記載のバックライト装置。
【請求項１０】
前記第１及び第２制御パラメータは管電流又は放電管の電極間電圧又は電力の最大値又は前記管電流と前記電圧と前記電力とのいずれかのデュ−ティ−比であることを特徴とする請求項８又は９記載のバックライト装置。
【発明の詳細な説明】
【技術分野】
【０００１】
本発明は、液晶表示装置用の放電管及びそれを使用したバックライト装置に関し、特に、調光を変更した場合にも所定の色度に補正することができる放電管及びそれを使用したバックライト装置に関する。
【背景技術】
【０００２】
近年、インターネットショッピングやＴＶショッピング等の急速な普及に伴い、液晶ＴＶ又は液晶ディスプレイ等の液晶表示装置において、表示面上で忠実に実物（又は画面を印刷した物など出力物）の色を再現することが切望されている。
【０００３】
液晶ＴＶ又は液晶ディスプレイ等の表示面（表示画面）を均一な光で背面から照射するバックライト装置として、表示面の直下（背面）に単数又は複数の放電管を有する直下型（方式）と、表示面の側面に放電管を有し、反射板、導光板などの光学部材を有するエッジライト方式がある。例えば、直下型のバックライト装置を用いた液晶表示装置は放電管に設けられた一対の電極に所定の電位が印加されると、放電管内に電子が流れ、放電管内に充填された水銀ガスに電子が衝突し、紫外線を発する。紫外線は放電管に塗布された蛍光体に当たると、放電管は蛍光体に固有の光に変換され、変換された光は表示面に向かって発する。一般的に、赤色・青色・緑色の蛍光体が塗布されたそれぞれの放電管に所定の電位を加えると、各々の蛍光体に当たって放電管から発する光が混合され、白色の光が表示面へと照射される。照射された白色の光は表示面に設けられた拡散板を通って表示面をほぼ均一に照射する。さらに、表示面には表示面の所定した箇所のみ光を通す機構（シャッター）とシャッターを通った光が赤・青・緑などのカラーフィルターを通る構造となっている。従って、カラーフィルターを通った光は再び赤色・青色・緑色の光に分解され、その配列によって放電管を有する側と反対の表示面上にさまざまな色の光が再現され、表示面に出力される。
【０００４】
そこで、表示面から出る光の色再現性を拡大する場合、表示面に設けられたカラーフィルターを変更する方法と放電管に塗布された蛍光体を変更する方法が考えられる。
【０００５】
図３はxy色度図を示す。なお、馬蹄形の曲線Ｈは可視光の単色光の色度点を結んで得られる単色光の軌跡、曲線Ｈの両端を結ぶ直線Ｉは純紫軌跡、太線Ｙは黒体軌跡を示す。曲線Ｈと直線Ｉで囲まれる領域の内側に入るほど鮮やかさ（鮮度）が小さく、単色光を混ぜた混合した光（混合した光）となる。なお、図３中の三角（▲）印は一般的に使用される赤色の波長を発する蛍光体（Ｙ２０３：Ｅｕ）が塗布された放電管、一般的に使用される青色の波長を発する蛍光体（ＢａＭｇ２Ａｌ１６Ｏ２７：Ｅu）が塗布された放電管、及び一般的に使用される緑色の波長を発する蛍光体（ＬａＰＯ４：Ｃｅ，Ｔｂ）が塗布された放電管（以下、これら３つの放電管で構成したものを「従来の蛍光体を塗布した放電管群」とする。）それぞれが発する光（単色光）の色度座標を示し、これらの点を結んで囲まれた領域が従来の蛍光体を塗布した放電管群で色再現することができる領域（色再現領域）である。また、バツ（×）印は現行の表示面に設けられたカラーフィルターを用いた場合に高い色純度を示す放電管を組み合せたもの（以下、これら３つの放電管で構成したものを「高色純度の蛍光体を塗布した放電管群」とする。）であり、これらの点を結んで囲まれた領域が高色純度の蛍光体を塗布した放電管群の色再現領域である。ちなみに、高色純度の蛍光体を塗布した放電管群は、現行の表示面に設けられたカラーフィルターを用いた場合に高い色純度を示す赤色の波長を発する蛍光体（Ｙ（Ｐ，Ｖ）Ｏ４：Ｅｕ）が塗布された放電管、従来の蛍光体を塗布した放電管群を構成する青色の波長を発する蛍光体が塗布された放電管、現行の表示面に設けられたカラーフィルターを用いた場合に高い色純度を示す緑色の波長を発する蛍光体（ＢａＭｇ２Ａｌ１６Ｏ２７：Ｅｕ，Ｍｎ）が塗布された放電管とからなる。また、ひし形を結んだ領域はＮＴＳＣ方式の色度領域を示す。
【０００６】
ところで、液晶表示装置は使用環境に応じて手動又は自動で放電管に流れる電流（管電流）を変更し、液晶表示装置の表示面の調光を変更する「明るさ調整機能」を備えている。そこで、液晶表示装置の表示面の調光を変更しても液晶表示装置の色再現性が悪化しないように補正することが切望されている。
【０００７】
図４は高色純度の蛍光体を塗布した放電管群を構成する各放電管が発する赤色・緑色・青色の単色光の相対強度と各放電管に流れる電流（管電流）との関係を示す。なお、各放電管におけるガラス管は同じ物を使用し、各放電管に定格電流を流した時、つまり最大調光時における光の強度を相対強度１００％（基準）として、管電流を下げることで液晶表示装置の調光を最小まで下げたときの変化を示している。
【０００８】
図４に示すように、高色純度の蛍光体が塗布された放電管群の調光を変更した場合、緑色の単色光を発する放電管の相対強度は赤色の単色光の光を発する放電管及び青色の単色光の光を発する放電管の相対強度に比べて管電流に対する変化が小さい。ちなみに、従来の蛍光体を塗布した放電管群を構成する各放電管が発する赤色・緑色・青色の単色光の相対強度と各放電管に流れる電流（管電流）との関係は、放電管から発する色によらずほぼ一致している。
【０００９】
図５は従来の蛍光体を塗布した放電管群からの混合した光について、構成する各放電管に流れる管電流を等しく図４に示すように最大調光時から最小調光時まで変化した時、混合した光の色度軌跡と黒体軌跡Ｙをｘｙ色度図に示した図である。また、図６は高色純度の蛍光体を塗布した放電管群から出る混合した光について、構成する各放電管に流れる管電流を等しく変化させて図４に示す最大調光から最小調光まで変化した時、混合した光の色度軌跡と黒体軌跡Ｙをｘｙ色度図に示した図である。
【００１０】
図５に示すように、従来の蛍光体を塗布した放電管群から出る混合した光（放電管群を構成する各放電管を点灯させた時、各放電管から出た光が干渉した光）において各放電管に流れる管電流を等しく変化させて調光を下げた時の色度軌跡は左下方向（ｘ座標及びｙ座標がともに減少する方向）に移動し、黒体軌跡とほぼ平行となる。したがって、混合した光を調光したときの黒体軌跡Ｙ又は黒体軌跡の延長線Ｙ´からの偏差、すなわち混合した光の色座標を黒体軌跡に垂線を下ろし、その垂線と黒体軌跡との交点の色度座標から混合した光の色度座標までの距離が、調光を変化させてもあまり変わらないか又は差は小さい。一方、図６に示すように、高色純度の蛍光体を塗布した放電管群が発する混合した光において各放電管の管電流を等しく変化させて調光を下げると、色度軌跡は左上方向（ｘ座標は減少、ｙ座標は増加する方向）に移動する。したがって、調光を変化させた後の混合した光の色度軌跡は黒体軌跡に沿った方向と異なり、調光を変化させた後の黒体軌跡ｙからの偏差が図５の従来の蛍光体を塗布した放電管群から出る混合した光の場合と異なり、調光を変更する前と比べて非常に大きくずれてしまう。
【００１１】
したがって、高色純度の蛍光体を塗布した放電管群を構成する其々の放電管を組み込んだ液晶表示装置において、管電流を等しく変化させて調光を行うと、混合した光の色度座標は調光前の色度座標からずれてしまう。つまり、高色純度の蛍光体を塗布した放電管群を使用して色純度を改善したにもかかわらず、放電管群から出る光の色度が調光操作でずれてしまう。その結果、液晶表示装置の表示面における色度も調光を変化させると変化してしまう。
【００１２】
そこで、高色純度の蛍光体を塗布した放電管群を構成する3本の放電管からなる多灯構成とし、各放電管において調光を変化させた時の電流制御を独立に行うことによって、その混合した光の色度を補正する方法が考えられる。
【００１３】
また、白色の混合した光を発する放電管と、混合した光にさらに補正する光を加えることで混合した光の色度を補正する方法が考えられる。この場合、赤色・青色・緑色の波長の光を発する３種類の補助放電管を色度補正のために必要に応じて補助的に点灯させ、混合した光の色度を補正する方法が考えられる。（例えば、特許文献１）。
【特許文献１】特開２０００−２０６４８６号
【発明の開示】
【発明が解決しようとする課題】
【００１４】
しかしながら、現行のカラーフィルターを用いた場合に高い色純度を示す3種類の放電管群からなる多灯構成を用いたバックライト装置において、調光を補正するためには各放電管に流れる電流を各々制御する必要があり、各放電管に１つのインバータ回路を用意なければならない。さらに、３種類の放電管を実装するための空間も必要であり、バックライト装置全体が大型化してしまう。
【００１５】
同様に、特許文献１に示すバックライト装置は、赤色・青色・緑色の光を出す3種類の補助放電管を用意し、さらに各補助放電管に流れる電流を制御するため、各補助放電管を独立に制御するインバータ回路とそれを実装する空間が必要となる。また、3種類の補助放電管を実装するための空間も必要となり、バックライト装置が大型化してしまう。
【００１６】
本発明の課題は、バックライト装置を大型化せず、高い色再現性が得られ、液晶表示装置の表示面における調光を変更しても放電管群から出る混合した光の色度が補正することができる放電管及びその放電管を用いたバックライト装置を提供することにある。
【課題を解決するための手段】
【００１７】
本発明の放電管は、第１蛍光体が塗布された第１放電管と、波長変換された光を調光した時の相対強度が第１蛍光体で波長変換された光の相対強度に比べて大きい第２蛍光体が塗布された第２放電管とを有することを特徴とするバックライト装置用の放電管である。
【発明の効果】
【００１８】
請求項１の発明によれば、第１蛍光体が塗布された第１放電管と、波長変換された光を調光した時の相対強度が第１蛍光体で波長変換された光の相対強度に比べて大きい第２蛍光体が塗布された第２放電管とからなり、調光した時の相対輝度の変化の異なる第１蛍光体に塗布する放電管と第２蛍光体を塗布する放電管を分けることで、それらを制御するインバータ回路を２つで構成することができる。
【００１９】
したがって、放電管群から出る混光した光の調光を変更しても、色度が良好に補正できる放電管を提供することができる。
【発明を実施するための最良の形態】
【００２０】
以下、本発明に係る放電管及びバックライト装置について図面を参照しながら詳細に説明する。
【００２１】
（本発明の第１の実施形態）
図１は本発明１に係るバックライト装置の構成を示す図である。図１に示すように、実施例１に係るバックライト装置は、放電管１及び放電管２、インバータ３及び４、導光板５を備えて構成されたエッジライト方式のバックライト装置である。放電管１はインバータ回路３と電気的に接続されており、放電管２はインバータ回路４と電気的に接続されている。
【００２２】
放電管１は本発明の第１放電管に対応し、電子が水銀ガスに当たって放出される紫外線を緑色の波長の光に変換する蛍光体及び青色の波長の光に変換する蛍光体が塗布されている。なお、緑色の波長の光に変換する蛍光体は現行の表示面に設けられたカラーフィルターを用いた場合に高い色純度を示す組成（ＢａＭｇ２Ａｌ１６Ｏ２７：Ｅｕ，Ｍｎ）の蛍光体（本発明の第１蛍光体）からなり、電子が水銀ガスに当たって放出される紫外線を波長５１５ｎｍ近傍に波長のピークを有する光に変換する蛍光体である。青色の波長の光に変換する蛍光体は組成（ＢａＭｇ２Ａｌ１６Ｏ２７：Ｅu）の蛍光体（本発明の第２蛍光体）からなり、電子が水銀ガスに当たって放出される紫外線を波長４５０ｎｍ近傍に波長のピークを有する光に変換する蛍光体である。
【００２３】
放電管２は本発明の第２放電管に対応し、電子が水銀ガスに当たって放出される紫外線を青色の波長の光に変換する蛍光体及び赤色の波長の光に変換する蛍光体が塗布されている。なお、青色の波長の光に変換する蛍光体は組成（ＢａＭｇ２Ａｌ１６Ｏ２７：Ｅu）の蛍光体からなり、電子が水銀ガスに当たって放出される紫外線を波長４５０ｎｍ近傍に波長のピークを有する光に変換する蛍光体である。紫外線を赤色の波長の光に変換する蛍光体は現行の表示面に設けられたカラーフィルターを用いた場合に高い色純度を示す組成（Ｙ（Ｐ，Ｖ）Ｏ４：Ｅｕ）の蛍光体（本発明の第３蛍光体）からなり、電子が水銀ガスに当たって放出される波長６２０ｎｍ近傍に波長のピークを有する光に変換する蛍光体である。従って、第１〜第３の蛍光体で波長変換される光は光の３原色を構成する。
【００２４】
インバータ３は放電管１と電気的に接続し、液晶表示装置の表示面の調光を変更する命令に応じて放電管１の管電流を制御する。同様に、インバータ４は放電管２と電気的に接続し、液晶表示装置の表示面の調光を変更する命令に応じて放電管２の管電流を制御する。したがって、液晶表示装置の表示面の調光を変更する命令に応じて放電管１及び２それぞれを独立に調光する。導光板５は放電管１及び２それぞれから発する光が入射される。入射された光は導光板５で多重反射されて混合されて、導光板５の一方の主面５ａ側に設けられた表示面に照射される。なお、表示面には表示面の所定の個所以外には光を通過しないようにする機構（ファイルタ）と、放電管１及び２それぞれから出る光の色をさらに変換する赤色・緑色・青色などのカラーフィルタが設けられている。
【００２５】
図２は本発明の実施例1に係るバックライト装置で用いる放電管１及び２それぞれから発した混合した光の調光を変化させた時の、放電管１，２それぞれが発する光、及び放電管１及び２それぞれから出た光の混合した光における色度変化をｘｙ色度図で示した図ある。なお、図２の太線Y´は黒体軌跡（又は黒体軌跡を延長した線）、座標Aは調光を下げる前の放電管１が発する光の色度座標、座標Bは調光を下げる前の放電管２が発する光の色度座標、座標Cは調光を下げる前の放電管１と放電管２から発する光が混合した光の色度座標を示す。同様に、座標A´は調光を下げた後の放電管１が発する光の色度座標、座標B´は調光を下げた後の放電管２が発する光の色度座標、座標C´及びＣ´´は調光を下げた後の放電管１と放電管２から発する混合した光の色度座標を示す。
【００２６】
放電管１と放電管２とから出る光の混合した光の調光を下げる前の放電管１が発する光の色度座標Ａは、放電管１に塗布された緑色の波長の光に変換する蛍光体による単色光の色度座標αと放電管１に塗布された青色の波長の光に変換する蛍光体による単色光の色度座標βとを結ぶ線分上であって、放電管１に塗布された緑色の波長の光に変換する光の強度と放電管１に塗布された青色の波長の光に変換する光の強度との比の逆数の比が放電管１の発する混合した光における色度座標となる。したがって、座標Ａと等しい黒体軌跡Ｙ（又はその延長線Ｙ´）のx座標における黒体軌跡Ｙ（又はその延長線Ｙ´）のy座標よりも座標Ａのy座標が大きくなるように、放電管１に塗布する緑色の波長の光に変換する光の強度と青色の波長の光に変換する光の強度の比率を決定する。例えば、放電管１に塗布された緑色の波長の光に変換する蛍光体は全て塗布し、放電管１に塗布された青色の波長の光に変換する蛍光体は放電管１及び２とから出る光の混合した光を所望する光（例えば白色の光）にするために青色の蛍光体として必要な放電管１及び２合わせた塗布量の半分を放電管１側に塗布することで条件を満たすことができる。
【００２７】
また、放電管１と放電管２とから出る光の混合した光の調光を下げる前の放電管２が発する光の色度座標Ｂは、放電管２に塗布された赤色の波長の光に変換する蛍光体における単色光の色度座標γと放電管２に塗布された青色の波長の光に変換する蛍光体における単色光の色度座標βとを結ぶ線分上あって、赤色の波長の光に変換する光の強度と青色の波長の光に変換する蛍光体の光の強度との比の逆数の比となる色度座標となる。したがって、座標Ｂと等しい黒体軌跡Ｙ（又はその延長線Ｙ´）のx座標における黒体軌跡Ｙ（又はその延長線Ｙ´）のy座標よりも座標Ｂのy座標が小さくなるように、放電管２に塗布する赤色の波長の光に変換する光の強度と放電管２に塗布する青色の波長の光に変換する光の強度の比率を決定する。例えば、放電管２に塗布された赤色の波長の光に変換する蛍光体は全て塗布し、放電管２に塗布された青色の波長の光に変換する蛍光体は放電管１及び２とから出る光の混合した光を所望する光（例えば白色の光）にするために青色の蛍光体として必要な放電管１及び２合わせた塗布量の半分を放電管２側に塗布することで条件を満たすことができる。
【００２８】
次に、放電管１と放電管２とから出る光の混合した光の調光を下げた後の放電管１が発する光の色度座標Ａ´は放電管１に塗布された緑色の波長の光に変換する蛍光体による単色光の色度座標αと放電管１に塗布された青色の波長の光に変換する蛍光体による単色光の色度座標βとを結ぶ線分上であるが、図４に示すように、調光を変更すると、放電管１に塗布された緑色の波長の光に変換する光の相対強度の変化は放電管１に塗布された青色の波長の光に変換する光の相対強度の変化よりも小さい。従って、放電管１と放電管２とから出る光の混合した光の調光を下げた後の放電管１が発する光の色度座標Ａ´は図２のように移動する。
【００２９】
同様に、放電管１と放電管２とから出る光の混合した光の調光を下げた後の放電管２が発する光の色度座標Ｂ´は、放電管２に塗布された赤色の波長の光に変換する蛍光体による単色光の色度座標γと放電管２に塗布された青色の波長の光に変換する蛍光体による単色光の色度座標βとを結ぶ線分上である。また、図４に示すように、調光を変更した際、放電管２に塗布された赤色の波長の光に変換する光の強度の変化は放電管２に塗布された青色の波長の光に変換する光の強度の変化とほぼ等しい。従って、放電管１と放電管２とから出る光の混合した光の調光を下げた後の放電管１が発する光の色度座標Ｂ´はあまり変化せず、図２で示すようになる。
【００３０】
放電管１と放電管２とから出る光の混合した光の調光を下げた後の放電管１及び２それぞれから発する光が混合した光の色度座標Ｃ´は色度座標Ａ´とＢ´とを結ぶ線分上になる。したがって、黒体軌跡Ｙ又は黒体軌跡の延長線Ｙ´からの偏差が調光前と調光後で変化を抑制するように色度座標Ａ´とＢ´それぞれの発光強度を調整する。
【００３１】
例えば、放電管１と放電管２とから出る光の混合した光の調光を下げる時、色度座標Ｂ´の色度座標の変化を色度座標Ａ´の色度座標の変化よりも大きくする。そうすれば、放電管１と放電管２とから出る光の混合した光の調光を下げる時、色度座標Ａ´とＢ´の色度座標の変化を等しくしていた時の放電管１及び２それぞれから発する光が混合した光の色度座標Ｃ´´となっていたところを色度座標Ｃ´とし、色度座標Ｃ´の黒体軌跡Ｙ（又はその延長線Ｙ´）からの偏差を調光前の色度座標Ｃの黒体軌跡Ｙ（又はその延長線Ｙ´）からの偏差とほぼ等しくすることで、液晶表示装置の表示面の調光を変更しても良好に色度補正することができる。
【００３２】
次に、本発明のインバータの制御について説明する。インバータ３は放電管１の管電流を制御し、インバータ４は放電管２を制御する。
【００３３】
本発明のバックライト装置において、放電管１及び２それぞれから発する光が混合した光の調光を下げる場合を説明する。したがって、放電管１及び２それぞれから発する光が混合した光の調光を上げる場合、インバータ３及び４の制御は以下で述べる制御方法と逆の制御方法となる。
【００３４】
ここで、放電管１に流れる管電流の変化と放電管２に流れる管電流の変化とを同じように制御すると、放電管１に塗布された緑色の波長を発する光の相対強度の変化が小さいため、放電管１及び２それぞれから発する光が混合した光の調光を下げた後の放電管１及び２それぞれから発する光が混合した光の色度座標は、調光を下げる前の色度座標に比べて少なくともy座標はプラスの方向に移動し、緑色がかった色度に変化する。
【００３５】
このため、放電管１及び２それぞれから発する光が混合した光の調光を下げる場合、放電管１が発する光の色度変化量と放電管２が発する光の色度座標を変化させた軌跡がほぼ黒体軌跡Ｙ（又はその延長線Ｙ´）に沿うように、放電管１に流れる管電流を放電管２に流れる管電流よりも大きく下げるようにインバータ回路３及び４を制御する。その結果、調光を変更する前後の色度はほぼ同じ黒体軌跡Ｙ（又はその延長線Ｙ´）からの偏差とすることができ、放電管１及び２それぞれから発する光が混合した光における色度補正を良好に行い、液晶表示装置の表示面の調光を変化させた場合における色度補正を良好に行うことができる。
【００３６】
なお、放電管１及び２を用いたバックライト装置において、放電管１及び２それぞれから発する光が混合した光を調光したときの色度補正を行うために放電管１及び２それぞれの管電流を制御する方法として、管電流の最大値を変化させる場合と管電流のデュ−ティ−比を変化させる場合のどちらでもよい。
【００３７】
また、マクロコンピュータやＩＣ等からなるシステムを設け、ユーザ（使用者）によって入力された調光変更の命令（調光信号）に応じて、この調光信号とシステム内に記憶された調光信号と入力信号（インバータを制御する信号）との対応表に基づいてインバータ３、４が放電管１、２に流れる管電流を独立して制御するものとしても良い。
【００３８】
さらに、バックライト装置から発せられる光の色度を検出するセンサを設け、センサからの出力信号を放電管１、２が電気的に接続されたインバータ３、４への入力信号に変換し、変換された入力信号を色度補正信号としてマイクロコンピュータ等に入力し、入力された色度補正信号とシステム内に記憶された色度補正信号とインバータを制御する制御信号との対応表に基づいて、インバータ３、４が放電管１，２に流れる管電流を独立に制御しても良い。
【００３９】
このように、本発明の放電管を用いれば、２種類の放電管でバックライト用の光源を構成することができる。したがって、最低２本の放電管で構成することができ、それぞれの放電管を制御するインバータ回路も放電管と同じく最低２つで構成することができる。
【００４０】
ここで、調光前とは放電管の定格管電流の時とすることが望ましい。しかしながら、必ずしも定格電流とすることはない。
【００４１】
（本発明の第２の実施形態）
放電管１には現行の表示面に設けられたカラーフィルターを用いた場合に高い色度を示す組成（ＢａＭｇ２Ａｌ１６Ｏ２７：Ｅｕ，Ｍｎ）の蛍光体であって緑色の波長の光に変換する蛍光体と、現行の表示面に設けられたカラーフィルターを用いた場合に高い色度を示す組成（Ｙ（Ｐ，Ｖ）Ｏ４：Ｅｕ）の蛍光体であって赤色の波長の光に変換する蛍光体が塗布され、放電管２には、現行の表示面に設けられたカラーフィルターを用いた場合に高い色度を示す組成（Ｙ（Ｐ，Ｖ）Ｏ４：Ｅｕ）の蛍光体であって赤色の波長の光に変換する蛍光体と、青色の波長の光に変換する蛍光体は組成（ＢａＭｇ２Ａｌ１６Ｏ２７：Ｅu）の蛍光体であって青色の波長の光に変換する蛍光体が塗布されている場合であってもよい。
【００４２】
この場合、放電管１と放電管２とから出る光の混合した光の調光を下げる前の放電管１が発する光の色度座標Ａは放電管１に塗布された緑色の波長の光に変換する蛍光体における単色光の色度座標αと放電管１に塗布された赤色の波長の光に変換する蛍光体における単色光の色度座標γとを結ぶ線分上あって、放電管１に塗布された緑色の波長の光に変換する光の強度と放電管１に塗布された赤色の波長の光に変換する光の強度との比の逆数の比となる座標となる。そして、放電管１と放電管２とから出る光の混合した光の調光を下げる前の放電管１が発する光の色度座標Ａは、座標Ａと等しい黒体軌跡Ｙ（又はその延長線Ｙ´）のx座標における黒体軌跡Ｙ（又はその延長線Ｙ´）のy座標よりも座標Ａのy座標が大きくなるように、放電管１に塗布された緑色の波長の光に変換する光の強度と放電管１に塗布された赤色の波長の光に変換する光の強度の比率を決定する。例えば、放電管１に塗布された緑色の波長の光に変換する蛍光体は全て塗布し、放電管１に塗布された赤色の波長の光に変換する蛍光体は放電管１及び２とから出る光の混合した光を所望する光（例えば白色の光）にするために赤色の蛍光体として必要な放電管１及び２合わせた塗布量の半分を放電管１側に塗布することで条件を満たすことができる。
【００４３】
また、放電管１と放電管２とから出る光の混合した光の調光を下げる前の放電管２が発する光の色度座標Ｂは放電管２に塗布された赤色の波長の光に変換する蛍光体における単色光の色度座標γと放電管２に塗布された青色の波長の光に変換する蛍光体における単色光の色度座標βとを結ぶ線分上あって、赤色の波長の光に変換する光の強度と青色の波長の光に変換する光の強度との比の逆数の比となる座標となる。したがって、座標Ｂと等しい黒体軌跡（又はその延長線）のx座標における黒体軌跡Ｙ（又はその延長線Ｙ´）のy座標よりも座標Ｂのy座標が小さくなるように、放電管２に塗布する赤色の波長の光に変換する蛍光体と青色の波長の光に変換する蛍光体の比率を決定する。例えば、放電管２に塗布された青色の波長の光に変換する蛍光体は全て塗布し、放電管２に塗布された赤色の波長の光に変換する蛍光体は放電管１及び２とから出る光の混合した光を所望する光（例えば白色の光）にするために赤色の蛍光体として必要な放電管１及び２合わせた塗布量の半分を放電管２側に塗布することで条件を満たすことができる。
【００４４】
このように構成された放電管１と放電管２とから出る光の混合した光の調光を下げる前の放電管１及び２それぞれから出る混合した光の色度座標Ｃ２は色度座標Ａ２とＢ２とを結ぶ線分上になる。したがって、上記第１の実施形態と同様に、放電管１と放電管２とから出る光の混合した光の調光を下げた後の色度座標Ａ２´は少なくともｙ座標はプラス方向に移動し，Ｂ２´はあまり変化しない。放電管１及び２それぞれの管電流を等しく変化させることで調光を行うと、第１の実施形態の場合と同様に少なくとも放電管１と放電管２とから出る光の混合した光の色度のｙ座標はプラス方向に移動する。
【００４５】
したがって、放電管１と放電管２とから出る光の混合した光の調光を下げた後の放電管１及び２それぞれから発する光が混合した光の色度座標Ｃ２´は色度座標Ａ２´とＢ２´とを結ぶ線分上になるから、黒体軌跡Ｙ又は黒体軌跡の延長線Ｙ´からの偏差が調光前と調光後で変化を抑制するように色度座標Ａ２´とＢ２´とにおける発光強度を調整する。つまり、黒体軌跡Ｙ又は黒体軌跡の延長線Ｙ´からの偏差が調光前と調光後で変化を抑制するように色度座標Ａ２´とＢ２´それぞれの発光強度を調整する。
【００４６】
例えば、放電管１と放電管２とから出る光の混合した光の調光を下げる時、色度座標Ｂ２´の色度座標の変化を色度座標Ａ２´の色度座標の変化よりも大きくする。そうすれば、放電管１と放電管２とから出る光の混合した光の調光を下げる時、色度座標Ａ２´とＢ２´の色度座標の変化を等しくしていた時の放電管１及び２それぞれから発する光が混合した光の色度座標Ｃ２´´となっていたところを色度座標Ｃ２´とし、色度座標Ｃ２´の偏差を調光後の色度座標Ｃの偏差とほぼ等しくすることで、液晶表示装置の表示面の調光を変更しても良好に色度補正することができる。
【００４７】
なお、放電管１及び２それぞれに塗布された蛍光体の組成として、赤色の波長の光を出す蛍光体として組成（Ｙ（Ｐ，Ｖ）Ｏ４：Ｅｕ）、緑の波長の光を出す蛍光体として組成（ＢａＭｇ２Ａｌ１６Ｏ２７：Ｅｕ，Ｍｎ）、青色の波長の光を出す蛍光体として組成（ＢａＭｇ２Ａｌ１６Ｏ２７：Ｅu）、を示してきたが、それぞれの蛍光体の組成はこの限りではない。つまり、緑色の光の相対強度が他の赤色及び青色の光の相対強度よりも低い場合の混合された光を調光する際の色度補正について示してきたが、２色以上の蛍光体で波長を変換されてできる混合した光を表示面へ発する少なくとも１種類以上の蛍光体が塗布された２種類の放電管を組み合わせて成すバックライト装置であって、表示面の光を調光した時、蛍光体いずれか１つで変換される光の相対強度が他の蛍光体で変換される光の相対強度に比べて低い場合の色度補正すべてに適応することができる。
【００４８】
したがって、放電管１及び２はそれぞれ２種類の蛍光体が塗布されていなくても良い。例えば、放電管１は緑の波長の光を出す蛍光体として組成（ＢａＭｇ２Ａｌ１６Ｏ２７：Ｅｕ，Ｍｎ）が塗布されており、放電管２に赤色の波長の光を出す蛍光体として組成（Ｙ（Ｐ，Ｖ）Ｏ４：Ｅｕ）と青色の波長の光を出す蛍光体として組成（ＢａＭｇ２Ａｌ１６Ｏ２７：Ｅu）が塗布されていても、放電管１及び２とから出る光の混合した光の調光を変更した時に同様の制御方法で良好に色度補正することができる。
【００４９】
また、本発明において示した各放電管における各蛍光体の塗布量は一例であって、この限りではない。例えば、本発明の第１の実施形態において、放電管１に塗布された緑色の波長の光に変換する蛍光体は全て塗布し、放電管１に塗布された青色の波長の光に変換する蛍光体は放電管１及び２合わせた塗布量の半分以下とし、放電管２に塗布された赤色の波長の光に変換する蛍光体は全て塗布し、放電管２に塗布された青色の波長の光に変換する蛍光体は混合した光を発生させるために必要な放電管１及び２合わせた塗布量の残りを塗布してもよい。
【００５０】
また、放電管１及び２を用いたバックライト装置において、放電管１及び２それぞれから発する光が混合した光を調光したときの色度補正を行うために放電管１及び２それぞれの管電流を制御する方法を示したが、管電流の代わりに、放電管の電極間電圧又は電力の最大値を制御しても良く、あるいは電圧又は電力のデューティを変化させても良い。
【００５１】
また、エッジライト方式で説明したが、直下式のバックライト装置に適応しても良い。
【００５２】
また、本発明は放電管１と放電管２を組み合わせて調光を制御することを特徴としており、放電管１と放電管２の本数は１本でなくてもよく、例えば、放電管１及び２それぞれが同数且つ２本以上の放電管で構成しても良い。
【００５３】
なお、本発明において、放電管から出る単色光の色度は調光を変更しても変化ないものとして説明した。
【図面の簡単な説明】
【００５４】
【図１】本発明の実施例１に係わるバックライト装置の構成を示す図である。
【図２】本発明の実施例１に係わるバックライト装置の放電管１，２の管電流管電流を変化させた時、色度座標の変化の一例を示す図である。
【図３】従来の蛍光体で変換された光、高色純度品の蛍光体で変換された光、及びＮＴＳＣの色度座標を示す図である。
【図４】高色純度品の各蛍光体で変換された光の相対輝度と管電流との関係を示す図である。
【図５】従来の蛍光体を塗布した放電管群からの混合した光について色度軌跡と黒体軌跡Ｙをｘｙ色度図に示した図である。
【図６】高色純度品の蛍光体を塗布した放電管群からの混合した光について色度軌跡と黒体軌跡Ｙをｘｙ色度図に示した図である。
【符号の説明】
【００５５】
１，２  放電管
３，４  インバータ
５  導光板
【図１】
2007157597.tif 000003
【図２】
2007157597.tif 000004
【図３】
2007157597.tif 000005
【図４】
2007157597.tif 000006
【図５】
2007157597.tif 000007
【図６】
2007157597.tif 000008